(57)【特許請求の範囲】
【請求項１】
所定の厚みを有する回路、或いは印刷回路板を内部に有するUSBソケット内に挿入して接続することが容易なUSBコネクターであって、USBコネクターのUSBプラグ上に、金属外殼を備え、
前記金属外殼の内部中央には、絶縁板を備え、前記金属外殼は、内部空間を、前記回路、或いは印刷回路板と同等の厚みを有する上、下２個の収容設置空間に区分し、
前記２個の収容設置空間には、前記USBソケット内部の回路、或いは印刷回路板を挿入することができ、これによりUSBプラグの正方向或いは反対方向は共に、前記USBソケットと挿入接続可能であることを特徴とする、挿入、接続が容易なUSBコネクター。
【請求項２】
前記絶縁板の上、下面の少なくとも一方には、回路、或いは印刷回路を設置することを特徴とする、請求項１に記載の挿入、接続が容易なUSBコネクター。
【請求項３】
前記絶縁板の上、下面の両方には共に、回路、或いは印刷回路を設置することを特徴とする、請求項１に記載の挿入、接続が容易なUSBコネクター。
【請求項４】
前記絶縁板の上、下面の両方には共に回路、或いは印刷回路を設置することを特徴とする、請求項２に記載の挿入、接続が容易なUSBコネクター。
【請求項５】
前記絶縁板は、プラスチック板であることを特徴とする、請求項１乃至請求項４のいずれか一項に記載の、挿入、接続が容易なUSBコネクター。
【請求項６】
前記絶縁板は、マイラー(Mylar)であることを特徴とする請求項１乃至請求項４のいずれか一項に記載の、挿入、接続が容易なUSBコネクター。
【請求項７】
前記絶縁板は、銅線板であることを特徴とする請求項１乃至請求項４のいずれか一項に記載の、挿入、接続が容易なUSBコネクター。
【請求項８】
前記絶縁板は、エポキシ樹脂板(Epoxy)であることを特徴とする請求項１乃至請求項４のいずれか一項に記載の、挿入、接続が容易なUSBコネクター。
【請求項９】
前記絶縁板は、グラスファイバー板(Fiber Glass)であることを特徴とする請求項１乃至請求項４のいずれか一項に記載の、挿入、接続が容易なUSBコネクター。
【請求項１０】
前記絶縁板は、セラミック板であることを特徴とする請求項１乃至請求項４のいずれか一項に記載の、挿入、接続が容易なUSBコネクター。
【発明の詳細な説明】
【技術分野】
【０００１】
本発明は挿入、接続が容易なUSBコネクターに関し、特にプラグを、正方向或いは反対
方向からコンピューター本体のUSBコネクターのソケット内に挿入して接続することがで
き、使用の利便性を向上させることができる挿入、接続が容易なUSBコネクターに関する
。
【背景技術】
【０００２】
USB（Universal Serial Bus）コネクターは、コンピューター本体に、周辺設備を接続
する際に必須の製品である。
上記した周辺設備には、キーボード、マウス、プリンター、デジカメ、スキャナー、モ
デム、バッテリー充電器、PDA、携帯電話、外付け式ハードディスクなどがある。
【０００３】
図１に示すように、一般に、コンピューター本体の前、後端には、それぞれ少なくとも
１個のUSBコネクターのソケット（Female Connector、以下USBソケットと略称）100を設
置する。
USBソケット100外部は、金属外殼101で、外殼101内部上方には、回路板102を備え、内
部下方には、ジャック103を備える。
回路板102上には、数本の導電回路、或いは印刷回路1021をレイアウト（Layout）する
。
【０００４】
図２、３に示すように、一般のUSBコネクターのプラグ（Male Connector、以下USBプラ
グと略称）200は、コンピューター本体のUSBソケット100内に挿入して接続することがで
きる。
USBプラグ200の外部は、金属外殼201を備え、外殼201内部下方には、回路板202を備え
る。
回路板202上には、数本の導電性質を備える回路、或いは印刷回路2021をレイアウトす
る。
外殼201内部上方には、収容槽203を備える。
【０００５】
図４に合わせて示すように、USBコネクターのプラグ200を、コンピューター本体のUSB
ソケット100内に挿入して接続する時、USBプラグ200の回路、或いは印刷回路板202は、US
Bソケット100のジャック103内に挿入され、USBプラグ200の収容槽203に、USBソケット100
の回路板102が挿入される。
【０００６】
しかし、上記した従来のコネクターのUSBソケット100とUSBプラグ200中の回路板102、2
02とジャック103或いは収容槽203の対応関係は一方通行であるため、両者は、単一種の対
応方向によってしか、相互に挿入接続することができない。
つまり、USBプラグ200を反対方向(上下反対)にソケット100に対応させても、USBソケッ
ト100内に挿入することはできない。
よって操作時には、しばしば不便を引き起こしており、さらには、もし反対方向に無理
に挿入接続したなら、コネクターの損傷を容易に招く。
すなわち、もしこれを改善することができれば、製品の応用において利便性が向上する
ことは疑いがない。
本発明は、従来のUSBコネクターの上記した欠点に鑑みてなされたものである。
【発明の概要】
【発明が解決しようとする課題】
【０００７】
本発明が解決しようとする課題は、使用上の利便性を向上させ、しかも不適当な挿入接
続が引き起こすコネクター損傷の現象を回避可能な挿入、接続が容易なUSBコネクターを
提供することである。
【課題を解決するための手段】
【０００８】
上記課題を解決するため、本発明は下記の挿入、接続が容易なUSBコネクターを提供す
る。
挿入、接続が容易なUSBコネクターは、USBコネクターのプラグの金属外殼内部空間の中
央に、薄い絶縁板を設置し、該絶縁板の上、下面に、回路を設置し、
しかも、該絶縁板により区隔される上、下方区間は、それぞれ均等な収容設置空間で、
よって、USBプラグが、コンピューター本体のUSBソケット内に、正方向、反対方向のど
ちらから挿入接続されても、精確で堅固な回路連接関係を形成することができ、
使用上の利便性を向上させ、しかも不適当な挿入接続が引き起こすコネクター損傷の現
象を回避することができる。
【発明の効果】
【０００９】
本発明挿入、接続が容易なUSBコネクターは、プラグを、正方向或いは反対方向からコ
ンピューター本体のUSBコネクターのソケット内に挿入して接続することができ、使用の
利便性を向上させることができ、しかも不適当な挿入接続が引き起こすコネクター損傷の
現象を回避可能である。
【図面の簡単な説明】
【００１０】
【図１】一般のコンピューター本体のUSBソケットの前面平面図である。
【図２】従来のUSBプラグの外観構造図である。
【図３】従来のUSBプラグの前面平面図である。
【図４】従来のUSBプラグをコンピューター本体のUSBソケット内に挿入接続する様子を示す断面平面図である。
【図５】本発明の外観構造図である。
【図６】本発明の前面平面図である。
【図７】本発明絶縁板の俯瞰図である。
【図８】本発明絶縁板の仰視図である。
【図９】本発明USBプラグを、正方向から、コンピューター本体のUSBソケット内に挿入接続する様子を示す断面平面図である。
【図１０】本発明USBプラグを、図９に示す方向とは反対の方向から、コンピューター本体のUSBソケット内に挿入接続する様子を示す断面平面図である。
【発明を実施するための形態】
【００１１】
以下に図面を参照しながら本発明を実施するための最良の形態について詳細に説明する
。
【実施例】
【００１２】
図５、６に示すように、本発明USBコネクターのプラグ(Male Connector、以下USBプラ
グと略称)10は、金属外殼11(図示は、矩形)を備える。
外殼11内部空間の中央には、薄い絶縁板12(その厚みは約0.024inch)を備える。
絶縁板12は、印刷回路板(PCB)、或いはマイラー(Mylar、或いはポリエステルフィルム
と呼称)、或いは銅線板、或いはエポキシ樹脂板(Epoxy)、或いはグラスファイバー板(Fib
er Glass)、或いはセラミック薄板等の構造である。
絶縁板12は、金属外殼11の内部空間を、上、下に対称で、しかも相互に同等の空間13、
14に区分する。
【００１３】
図７に示すように、絶縁板12の上面には、導電能力を備える複数の(図示は４本)回路、
或いは印刷回路121をレイアウト(Layout)する。
図８に示すように、絶縁板12の下面には、別に同数の導電能力を備える回路、或いは印
刷回路122を設置する。
【００１４】
金属外殼11内部の絶縁板12上、下の収容設置空間13、14は、図１に示すコンピューター
本体のUSBソケット100 の回路板102と、それぞれ厚みが相同であるため、本発明のUSBプ
ラグ10を、正方向から、コンピューター本体のUSBソケット100内に挿入する(図９参照)と
、USBプラグ10の絶縁板12上方の収容設置空間13には、USBソケット100の回路板102が挿入
される。
USBプラグ10中央の絶縁板12上面の回路、或いは印刷回路121は、USBソケット100の回路
板102上の回路、或いは印刷回路1021とちょうど相互に接触し、電流を導通する。
【００１５】
反対に、本発明のUSBプラグ10を、前記とは反対の方向(上下に180°回転)から、コンピ
ューター本体のUSBソケット100内に挿入する(図１０参照)と、USBプラグ10の別の下方の
収容設置空間14には、USBソケット100の回路板102がちょうど挿入され、USBプラグ10内部
中央に位置する絶縁板12の別の下面の回路、或いは印刷回路122は、USBソケット100の回
路板102上の回路、或いは印刷回路1021と相互に接触し、電流を導通する。
【００１６】
上記したように、本発明の挿入、接続が容易なUSBコネクターは、一般のUSBコネクター
のプラグの金属外殼が包囲する内部空間を、新たに設計する。
一般のUSBコネクターのプラグの金属外殼が包囲する内部空間において、比較的薄い絶
縁板を中央に設置し、しかも金属外殼内部の絶縁板の上、下方に、USBソケット内の回路
板、或いは印刷回路板と相対し、しかも相同の収容設置空間を形成する。
これにより、上、下２個の収容設置空間には共に、USBソケットの回路板、或いは印刷
回路板をちょうど挿入接続することができる。
よって、USBプラグは、正方向から挿入しようと、反対方向から挿入しようと、簡単、
かつエラーの恐れがなく、コンピューター本体のUSBソケット内に挿入接続される。
さらに、そのプラグとソケット間の回路、或いは印刷回路は共に、良好な対応、接触を
獲得可能で、しかもその間には、エラーによる強制的な挿入接続による損壊の発生は起こ
り得ない。
よって、前代未聞の利便性、安全性、実用性を提供することができる。
【００１７】
上記の本発明名称と内容は、本発明技術内容の説明に用いたのみで、本発明を限定する
ものではない。本発明の精神に基づく等価応用或いは部品（構造）の転換、置換、数量の
増減はすべて、本発明の保護範囲に含むものとする。
【産業上の利用可能性】
【００１８】
本発明は機能と効果を大きく増進させ、該技術領域では、相同或いは近似の製品、発明
は未見で、或いは公開、使用されていない。さらに本発明は特許の要件である新規性
を備え、十分な進歩性を有し、実用性が高く、社会のニーズに合致しており、産業上の利
用価値は非常に大きい。
【符号の説明】
【００１９】
10、200  USBプラグ(USBコネクターのプラグ)
11、101、201  外殼
12  絶縁板
121、122  回路、或いは印刷回路
13、14  収容設置空間
100  USBソケット(USBコネクターのソケット)
101  外殼
102、202  回路板
1021、2021  回路、或いは印刷回路
200  ジャック
103  ジャック
203  収容槽 
【図１】
0005636620.tif 000002
【図２】
0005636620.tif 000003
【図３】
0005636620.tif 000004
【図４】
0005636620.tif 000005
【図５】
0005636620.tif 000006
【図６】
0005636620.tif 000007
【図７】
0005636620.tif 000008
【図８】
0005636620.tif 000009
【図９】
0005636620.tif 000010
【図１０】
0005636620.tif 000011